(57)【要約】【課題】    本考案は、刃部による損傷を防ぐことができるピーラーを提供する。【解決手段】    ピーラーＰは、手で持つ保持体１と、皮をむく刃部２と、この刃部２を支持すると共に、保持体１の先端に対向するように設けられた刃部支持部１ａとを備えたピーラーＰであって、刃部２を覆うカバーＫを保持体１の先端に着脱自在に取り付けるものである。【選択図】    図５
0003124798.tif 000002
【実用新案登録請求の範囲】
【請求項１】
手で持つ保持体と、皮をむく刃部と、この刃部を支持すると共に、前記保持体の先端に対向するように設けられた刃部支持部とを備えたピーラーであって、前記刃部を覆うカバーを前記保持体の先端に着脱自在に取り付けることを特徴とするピーラー。
【請求項２】
刃部を覆うように保持体の先端に取り付けられたカバーは、プラスチックで一体成形されたヒンジ部を介して一方の側に第１部材、他方の側に第２の部材を有し、
前記ヒンジ部は、ピーラーの外に位置すると共に、前記刃部に対向する位置にあり、
前記第１の部材には、前記刃部を収納する第１の凹所と、この第１の凹所に連接し、前記刃部より突出すると共に、頂部に凸形状の係止部を有する突出部と  、この突出部の裾部に位置し、前記保持体の裏面に設けられた凸状の裏面被係止部に係止する係止部とを有し、
前記第２の部材には、前記第１の凹所の前記刃部を覆う覆い部と、この覆い部に連接し、前記凸形状の係止部に係止される開口部の縁部を備えた開口縁部の被係止部とを有し、
前記保持体の裏面に設けられた前記凸状の裏面被係止部に前記係止部が係止すると共に、前記覆い部により前記第１の凹所に収納する前記刃部を覆い、前記凸形状の係止部が前記開口縁部の被係止部に係止し、前記凸形状の係止部が前記開口縁部の被係止部より外に突出していることを特徴とする請求項１記載のピーラー。
【請求項３】
第２の部材の先端は、保持体の先端の縁部を超えると共に、前記保持体の上に位置していることを特徴とする請求項２記載のピーラー。
【請求項４】
ピーラーは、子供用であって、
保持体の長手方向に沿って長手形状の開口部が設けられていることを特徴とする請求項１〜３記載のピーラー。
【考案の詳細な説明】
【技術分野】
【０００１】
本考案は、ピーラーに係り、特に、刃部による損傷を防ぐことができるピーラーに関する。
【背景技術】
【０００２】
従来、野菜や果物などの皮をむく皮むき器（ピーラー）がある（例えば、特許文献１参照）。
しかしながら、皮むき器（ピーラー）の不使用時、皮むき器（ピーラー）の刃部が露出しているため、皮むき器（ピーラー）の刃部による損傷をきたすという問題点があった。
【特許文献１】特許第２９２２８６８号公報（図１）
【考案の開示】
【考案が解決しようとする課題】
【０００３】
本考案は、前記した問題点を除去するようにしたピーラーを提供することを目的としている。
【課題を解決するための手段】
【０００４】
前記した目的を達成するための請求項１記載のピーラーは、手で持つ保持体と、皮をむく刃部と、この刃部を支持すると共に、前記保持体の先端に対向するように設けられた刃部支持部とを備えたピーラーであって、前記刃部を覆うカバーを前記保持体の先端に着脱自在に取り付けるものである。
【０００５】
また、請求項２記載のピーラーは、請求項１記載のピーラーにおいて、刃部を覆うように保持体の先端に取り付けられたカバーは、プラスチックで一体成形されたヒンジ部を介して一方の側に第１部材、他方の側に第２の部材を有し、前記ヒンジ部は、ピーラーの外に位置すると共に、前記刃部に対向する位置にあり  、前記第１の部材には、前記刃部を収納する第１の凹所と、この第１の凹所に連接し、前記刃部より突出すると共に、頂部に凸形状の係止部を有する突出部と  、この突出部の裾部に位置し、前記保持体の裏面に設けられた凸状の裏面被係止部に係止する係止部とを有し、前記第２の部材には、前記第１の凹所の前記刃部を覆う覆い部と、この覆い部に連接し、前記凸形状の係止部に係止される開口部の縁部を備えた開口縁部の被係止部とを有し、前記保持体の裏面に設けられた前記凸状の裏面被係止部に前記係止部が係止すると共に、前記覆い部により前記第１の凹所に収納する前記刃部を覆い、前記凸形状の係止部が前記開口縁部の被係止部に係止し、前記凸形状の係止部が前記開口縁部の被係止部より外に突出しているものである。
【０００６】
また、請求項３記載のピーラーは、請求項２記載のピーラーにおいて、第２の部材の先端は、保持体の先端の縁部を超えると共に、前記保持体の上に位置しているものである。  
【０００７】
また、請求項４記載のピーラーは、 請求項１〜３記載のピーラーにおいて、ピーラーは、子供用であって、保持体の長手方向に沿って長手形状の開口部が設けられているものである。
【考案の効果】
【０００８】
請求項１記載のピーラーによれば、刃部を覆うカバーを保持体の先端に着脱自在に取り付けているため、ピーラーの不使用時、ピーラーの刃部がカバーにより覆われるため、ピーラーの刃部による損傷を防ぐことができる。
【０００９】
また、請求項２記載のピーラーによれば、上述した請求項１記載の発明の効果に加え、保持体の裏面に設けられた凸状の裏面被係止部にカバーの係止部が係止すると共に、カバーの覆い部によりカバーの第１の凹所に収納された刃部を覆い、カバーの突出部の凸形状の係止部がカバーの開口縁部の被係止部に係止するため、カバーの移動は阻止され、加えて、凸形状の係止部が開口縁部の被係止部より外に突出しているため、外に突出している凸形状の係止部を押すことにより容易に係止状態を解除することができる。
【００１０】
また、請求項３記載のピーラーによれば、上述した請求項２記載の発明の効果に加え、第２の部材の先端は、保持体の先端の縁部を超えると共に、前記保持体の上に位置しているため、外に突出している凸形状の係止部を押す際、第２の部材の先端は保持体の先端付近の部位に当接して、係止状態を容易に解除することができる。
【００１１】
また、請求項４記載のピーラーによれば、上述した請求項１〜３記載の発明の効果に加え、保持体の幅が広くて保持体を持てない子供にあっては、長手形状の開口部を利用して保持体を持つことができる。
【考案を実施するための最良の形態】
【００１２】
本考案の一実施例のピーラーを図面を参照して説明する。
図１〜図７において、Ｐは野菜、果物などの皮をむくピーラーで、ピーラーＰは、概略的に、手で持つ保持体１と、皮をむく刃部２と、この刃部２を支持すると共に、保持体１の先端に対向するように設けられた刃部支持部１ａとを備えている。
Ｋは、刃部２を覆うカバーで、カバーＫは、刃部２を覆うように保持体１の先端に着脱自在に取り付けられている（図５参照）。カバーＫを設けることにより、ピーラーＰの不使用時、ピーラーＰの刃部２を覆って、ピーラーＰの刃部２による損傷を防ぐことができる。
【００１３】
カバーＫは、図２及び図３に示すように、全体が透明又は半透明のプラスチックで一体成形されたヒンジ部Ｋ０を介して一方の側に第１部材Ｋ１、他方の側に第２の部材Ｋ２を有している。
カバーＫをピーラーＰに装着する場合、図４及び図５に示すように、ヒンジ部Ｋ０は、ピーラーＰの外に位置すると共に、刃部２に対向する位置にある。
第１の部材Ｋ１には、刃部２を収納する第１の凹所３と、この第１の凹所３に連接し、刃部２より突出すると共に、頂部に凸形状の係止部４ａを有する突出部４と  、この突出部４の裾部に位置し、保持体２の裏面に設けられた凸状の裏面被係止部１ｂに係止される係止部５とを有している。
また、第２の部材Ｋ２には、第１の凹所３の刃部２を覆う覆い部６と、この覆い部６に連接し、凸形状の係止部４ａに係止される開口部の縁部を備えた開口縁部の被係止部７とを有している。
【００１４】
従って、カバーＫをピーラーＰに装着した場合においては、保持体２の裏面に設けられた凸状の裏面被係止部１ｂに係止部５が係止すると共に、覆い部６により第１の凹所３に位置する刃部２を覆い、凸形状の係止部４ａが開口縁部の被係止部７に係止され（図５及び図６参照）、凸形状の係止部４ａが開口縁部の被係止部７より外に突出するようになっている。
【００１５】
その結果、カバーＫの突出部４の凸形状の係止部４ａがカバーＫの開口縁部の被係止部７に係止するため、カバーＫの移動は阻止され、加えて、凸形状の係止部４ａが開口縁部の被係止部７より外に突出しているため、外に突出している凸形状の係止部４ａを押すことにより容易にカバーＫの係止状態を解除することができる。
【００１６】
なお、特に、第２の部材Ｋ２の先端Ｋ２ａが、図５に二点鎖線で示すように  、保持体２の先端の縁部を超えると共に、保持体２の上に位置しているため、外に突出している凸形状の係止部４ａを押す際、第２の部材Ｋ２の先端Ｋ２ａは保持体の先端付近の部位に当接して、係止状態を容易に解除することができる。  
また、ピーラーＰが子供用にあっては、図１に示すように、保持体１の長手方向に沿って長手形状の開口部１ｃが設けられていると、保持体１の幅が広くて保持体１を持てない子供にあっては、長手形状の開口部１ｃを利用して保持体１を持つことができる。
【図面の簡単な説明】
【００１７】
【図１】図１は、本考案の一実施例のピーラーの概略的平面図である。
【図２】図２は、図１のピーラーに装着されるカバーの概略的平面図である。
【図３】図３は、図２の３−３線の概略的断面図である。
【図４】図４は、図１のピーラーに図２のカバーを装着した状態の概略的平面図である。
【図５】図５は、図４の５−５線の概略的断面図である。
【図６】図６は、図５の一部を拡大して示す概略的一部拡大断面図である。
【符号の説明】
【００１８】
Ｐ    …………ピーラー
１    …………保持体
１ａ  …………刃部支持部
２    …………刃部
Ｋ    …………カバー
【図１】
0003124798.tif 000003
【図２】
0003124798.tif 000004
【図３】
0003124798.tif 000005
【図４】
0003124798.tif 000006
【図５】
0003124798.tif 000007
【図６】
0003124798.tif 000008